(57)【要約】【課題】  マッチング回路を必要とせず、また、低域側の共振周波数から高域側の共振周波数までにわたる全領域の広帯域化を実現することができる平面アンテナを提供する。【解決手段】  アンテナ１００は、台形平面状の第１放射素子１、台形平面状の第２放射素子２、給電点３から構成される。第１放射素子１の短辺１１と第２放射素子２の短辺２１はギャップ寸法Ｇだけ離れて平行に対向する。給電点３は、短辺１１の中央部分と短辺２１の中央部分に接続されて給電する。そして、ギャップ寸法Ｇを短辺寸法Ｂの略０．１倍以下にすることにより、低域側の第１共振周波数ｆ１〜高域側の第２共振周波数ｆ２間全領域にわたる広帯域を得ることができる。また、短辺寸法Ｂを第１共振周波数ｆ１の波長λ１の略０．１倍以上にすることにより、ｆ１〜ｆ２間全領域にわたる広帯域を得ることができる。【選択図】  図１
2006033069.tif 000002
【特許請求の範囲】
【請求項１】
給電点と四辺形平面状の第１放射素子と四辺形平面状の第２放射素子とを有するダイポールタイプの平面アンテナであって、
前記第１放射素子の四辺形の第１の一辺と、当該第１の一辺と略等しい長さを有する前記第２放射素子の四辺形の第２の一辺とを平行な間隔で対向させ、当該第１の一辺の中央部に給電点を設け、
前記平行間隔を前記第１の一辺の長さの略１０分の１以下とする
ことを特徴とする平面アンテナ。
【請求項２】
給電点と四辺形平面状の第１放射素子と四辺形平面状の第２放射素子とを有し、低域側の第１の共振周波数と高域側の第２の共振周波数によって広帯域を構成するダイポールタイプの平面アンテナであって、
前記第１放射素子の四辺形の第１の一辺と、当該第１の一辺と略等しい長さを有する前記第２放射素子の四辺形の第２の一辺とを平行な間隔で対向させ、当該第１の一辺の中央部に給電点を設け、
前記平行間隔を前記第１の一辺の長さの略１０分の１以下とし、
前記第１の一辺と当該第１の一辺に接する両側辺を合わせた長さが、前記第２の一辺と当該第２の一辺に接する両側辺を合わせた長さに略等しく、前記第１の共振周波数の略２分の１波長とする
ことを特徴とする平面アンテナ。
【請求項３】
給電点と四辺形平面状の第１放射素子と四辺形平面状の第２放射素子とを有し、低域側の第１の共振周波数と高域側の第２の共振周波数によって広帯域を構成するダイポールタイプの平面アンテナであって、
前記第１放射素子の四辺形の第１の一辺と、当該第１の一辺と略等しい長さを有する前記第２放射素子の四辺形の第２の一辺とを平行な間隔で対向させ、当該第１の一辺の中央部に給電点を設け、
前記平行間隔を前記第１の一辺の長さの略１０分の１以下とし、
前記第１の一辺と当該第１の一辺に接する両側辺を合わせた長さが、前記第２の一辺と当該第２の一辺に接する両側辺を合わせた長さに略等しく、前記第１の共振周波数の略２分の１波長とし、
前記第１の一辺の長さが前記第１の共振周波数の波長の略１０分の１以上である
ことを特徴とする平面アンテナ。
【請求項４】
給電点と四辺形平面状の第１放射素子と四辺形平面状の第２放射素子とを有し、低域側の第１の共振周波数と高域側の第２の共振周波数によって広帯域を構成するモノポールタイプの平面アンテナであって、
前記第１放射素子の四辺形の第１の一辺と前記地板の対向辺を平行な間隔で対向させ、当該第１の一辺の中央部に給電点を設け、
前記平行間隔を前記第１の一辺の長さの略１０分の１以下とし、
前記第１の一辺と当該第１の一辺に接する両側辺を合わせた長さが前記第１の共振周波数の略２分の１波長とし、
前記第１の一辺の長さが前記第１の共振周波数の波長の略１０分の１以上である
ことを特徴とする平面アンテナ。
【請求項５】
前記第１放射素子の四辺形は台形の形状で、前記第１の一辺は当該台形の短辺であり、
前記第２放射素子の四辺形は台形の形状で、前記第２の一辺は当該台形の短辺である
ことを特徴とする請求項１乃至請求項３のいずれか１項に記載の平面アンテナ。
【請求項６】
前記第１放射素子の四辺形は台形の形状で、前記第１の一辺は当該台形の短辺である
ことを特徴とする請求項４に記載の平面アンテナ。
【請求項７】
前記第１放射素子の四辺形は長方形の形状で、前記第１の一辺は当該長方形の一辺であり、
前記第２放射素子の四辺形は長方形の形状で、前記第２の一辺は当該長方形の一辺である
ことを特徴とする請求項１乃至請求項３のいずれか１項に記載の平面アンテナ。
【請求項８】
前記第１放射素子の四辺形は長方形の形状で、前記第１の一辺は当該長方形の一辺である
ことを特徴とする請求項４に記載の平面アンテナ。
【請求項９】
前記第１の一辺と当該第１の一辺に接する両側辺を合わせた長さは、前記第１の共振周波数の波長の略０．４乃至０．６倍であることを特徴とする請求項２乃至請求項８のいずれか１項に記載の平面アンテナ。
【発明の詳細な説明】
【技術分野】
【０００１】
本発明は、ダイポールタイプおよびモノポールタイプの平面アンテナに関するもので、特に、多共振化および広帯域化が可能な四辺形平面状の平面アンテナに関する。
【背景技術】
【０００２】
近年、携帯無線装置においては、デュアルバンド対応、マルチメディア対応のために、多周波化、広帯域化が必須となっている。
【０００３】
（背景技術１）
ボウタイ形状の素子アンテナがある（例えば、特許文献１参照。）。この特許文献１の素子アンテナにあっては、動作周波数の最低周波数である第１の周波数と、第１の周波数より概ね３倍高い第２の周波数の２つの共振周波数を持っている。そして、これら周波数の波長とアンテナの板状導体の寸法との関連が定義されている。
【０００４】
（背景技術２）
ボウタイ型で台形状の素子を形成したマルチバンドアンテナ装置がある（例えば、特許文献２参照。）。この特許文献２のマルチバンドアンテナ装置にあっては、ホット側素子の中間にスリットを設けて、第１のアンテナ素子と第２のアンテナ素子に分けている。そして、第１のアンテナ素子と第２のアンテナ素子とを合わせた寸法Ｌ１１を、低域側の携帯電話用の８８０ＭＨｚ帯の１／４波長に合わせている。この８８０ＭＨｚ帯は、ＶＳＷＲ（電圧定在波比）２．０以下の範囲が７９０ＭＨｚ以下から９３０ＭＨｚ程度に至るまで広帯域を得ている。  
また、第２のアンテナ素子の寸法Ｌ１２を、高域側のＧＰＳ用の１．６ＧＨｚ帯の１／４波長に合わせている。この１．６ＧＨｚ帯は、ＶＳＷＲ２．０以下の範囲が１．５ＧＨｚ以下から２．１ＧＨｚ以上に至るまで広帯域を得ている。
【特許文献１】特開２００２−１５８５３１号公報（第２頁、図６）
【特許文献２】特開２００３−３１８６３１号公報（第２〜３頁、図１、図２）
【発明の開示】
【発明が解決しようとする課題】
【０００５】
従来の背景技術１に開示された素子アンテナは三角形のボウタイ形状であり、インピーダンスが６０πΩと高いために、マッチング回路を必要とする問題点がある。  
従来の背景技術２に開示されたマルチバンドアンテナ装置は、低域側の共振周波数と高域側の共振周波数それぞれを単独に広帯域にできるが、低域側の共振周波数から高域側の共振周波数までにわたる領域では、ＶＳＷＲ（電圧定在波比）が所定値以上となって、その間のアンテナ効率が悪い。従って、低域側の共振周波数から高域側の共振周波数までにわたる全領域の広帯域化はできないという問題点がある。
【０００６】
本発明は、上記の問題点を解決するためになされたもので、マッチング回路を必要とせず、また、低域側の共振周波数から高域側の共振周波数までにわたる全領域の広帯域化を実現することができる平面アンテナを提供することを目的とする。
【課題を解決するための手段】
【０００７】
上記目的を達成するために、本発明の平面アンテナは、給電点と四辺形平面状の第１放射素子と四辺形平面状の第２放射素子とを有するダイポールタイプの平面アンテナであって、前記第１放射素子の四辺形の第１の一辺と、当該第１の一辺と略等しい長さを有する前記第２放射素子の四辺形の第２の一辺とを平行な間隔で対向させ、当該第１の一辺の中央部に給電点を設け、前記平行間隔を前記第１の一辺の長さの略１０分の１以下とすることを特徴とする。
【発明の効果】
【０００８】
本発明によれば、マッチング回路を必要とせず、また、低域側の共振周波数から高域側の共振周波数までにわたる全領域の広帯域化を実現することができる平面アンテナを得ることができる。
【発明を実施するための最良の形態】
【０００９】
以下、本発明の実施例を、図面を参照して説明する。  
【実施例１】
【００１０】
図１〜図６は、本発明の実施例１に係るダイポールタイプの平面アンテナを説明する図である。  
図１は、実施例１のダイポールタイプの平面アンテナの構成を説明する図である。アンテナ１００は、台形平面状の第１放射素子１、台形平面状の第２放射素子２、給電点３から構成される。第１放射素子１は、台形の平行な辺の短辺１１と長辺１２、両側辺１３の台形状の平面である。短辺１１の寸法をＢ、短辺１１と両側辺１３を合わせた寸法をＡとする。第２放射素子２は、第１放射素子１と同じ形状であり、台形の平行な辺の短辺２１と長辺２２、両側辺２３の台形状の平面である。短辺２１の寸法をＢ、短辺２１と両側辺２３を合わせた寸法をＡとする。両側辺１３と短辺１１の外角は、任意の値である。両側辺２３と短辺２１の外角も、任意の値である。  
第１放射素子１と第２放射素子２は短辺同士がギャップ寸法Ｇだけ離れて平行に対向する。給電点３は、短辺１１の中央部分と短辺２１の中央部分に接続されて給電する。
【００１１】
図２は、ＶＳＷＲ（電圧定在波比）のシミュレーション図である。図２（ａ）は、アンテナ１００の寸法Ａ＝５０ｍｍ、短辺寸法Ｂ＝１５ｍｍに固定し、ギャップ寸法Ｇ＝４ｍｍ（サンプル１）、３ｍｍ（サンプル２）、１．５ｍｍ（サンプル３）、１ｍｍ（サンプル４）をパラメータとしてシミュレーションしたものである。両側辺と短辺の外角は、６０度である。図２（ｂ）は、Ａ＝５０ｍｍ、ギャップ寸法Ｇ＝１ｍｍに固定し、短辺寸法Ｂ＝５ｍｍ（サンプル５）、８ｍｍ（サンプル６）、１０ｍｍ（サンプル７）、１２ｍｍ（サンプル８）、１５ｍｍ（サンプル９）をパラメータとしてシミュレーションしたものである。両側辺と短辺の外角は、６０度である。  いずれも、３ＧＨｚ付近に低域側の第１共振周波数ｆ１が発生し、８ＧＨｚ付近に高域側の第２共振周波数ｆ２が発生する。ここで、アンテナ特性として良好なのは、点線で示したＶＳＷＲ＝３以下の場合として定義している。第１共振周波数ｆ１、第２共振周波数ｆ２共にＶＳＷＲ＝３以下にある。しかし、ｆ１とｆ２の間の領域に注目すると、ＶＳＷＲ＝３以下の場合とＶＳＷＲ＝３以上の場合がある。ＶＳＷＲ＝３以下の場合は、ｆ１とｆ２の間の領域全域にわたって広帯域であり、○印を付す。ＶＳＷＲ＝３以上の場合は、ｆ１とｆ２の間の領域全域にわたって広帯域ではなく、×印を付す。サンプル３、４、７、８、９が広帯域であることがわかる。  
なお、ＶＳＷＲ＝３以下であることは、インピーダンスが５０Ω近辺の低い値であることと同義であり、マッチング回路をなくすことができる。
【００１２】
図３は、図２のシミュレーション結果を表にまとめたものであり、ギャップ寸法Ｇおよび短辺寸法Ｂと、ｆ１〜ｆ２間領域の広帯域との関係を表す。  
サンプル１〜９について、アンテナ寸法であるギャップ寸法Ｇ、寸法Ａ、短辺寸法Ｂを示す。また、シミュレーションデータである第１共振周波数ｆ１および波長λ１、ｆ１〜ｆ２間領域が広帯域であるかどうかを示す。また、計算結果として、ギャップ寸法Ｇと短辺寸法Ｂの比を計算したＧ／Ｂ、短辺寸法Ｂと第１共振周波数の波長λ１との比を計算したＢ／λ１を示す。
【００１３】
サンプル１について説明する。アンテナ寸法は、Ｇ＝４ｍｍ、Ａ＝５０ｍｍ、Ｂ＝１５ｍｍである。シミュレーションデータは、図２からわかるように、ｆ１＝２．５ＧＨｚであり、その波長λ１は、３×１０の８乗［ｍ］／２．５ＧＨｚ＝１２０ｍｍである。また、ｆ１〜ｆ２間全領域にわたる広帯域ではないため、×印を付けて表す。計算結果は、Ｇ／Ｂ＝４／１５＝０．２７、Ｂ／λ１＝１５／１２０＝０．１２５（略０．１３）である。サンプル２〜９については同様であり、詳細説明を省略する。  
ｆ１〜ｆ２間全領域にわたる広帯域になるのは、サンプル３、４、７、８、９であり、このサンプルの計算結果Ｇ／Ｂ、Ｂ／λ１の欄を点線で囲んで表示している。この点線で囲んだサンプル３、４、７、８、９のＧ／Ｂの値は、それぞれ０．１、０．０７、０．１、０．０８、０．０７であり、略０．１以下である。また、この点線で囲んだサンプル３、４、７、８、９のＢ／λ１の値は、それぞれ０．１５、０．１６、０．１、０．１２、０．１６であり、略０．１以上である。  
従って、ギャップ寸法Ｇを短辺寸法Ｂの略０．１倍以下にすることにより、ｆ１〜ｆ２間全領域にわたる広帯域を得ることができる。また、短辺寸法Ｂを第１共振周波数の波長λ１の略０．１倍以上にすることにより、ｆ１〜ｆ２間全領域にわたる広帯域を得ることができる。
【００１４】
図４は、図２のシミュレーション結果を表にまとめたものであり、アンテナ寸法と共振周波数との関係を表す。  
サンプル１〜９について、アンテナ寸法であるギャップ寸法Ｇ、寸法Ａ、短辺寸法Ｂを示す。また、シミュレーションデータである第１共振周波数ｆ１および波長λ１、第２共振周波数ｆ２および波長λ２を示す。また、計算結果として、寸法Ａと第１共振周波数の波長λ１との比を計算したＡ／λ１、寸法Ａと第２共振周波数の波長λ２との比を計算したＡ／λ２、短辺寸法Ｂと第２共振周波数の波長λ２との比を計算したＢ／λ２を示す。図３で説明したように、ｆ１〜ｆ２間全領域にわたる広帯域が得られたサンプル３、４、７、８、９の計算結果Ａ／λ１、Ａ／λ２、Ｂ／λ２の欄を点線で囲んで表示する。
【００１５】
サンプル１について説明する。アンテナ寸法は、Ｇ＝４ｍｍ、Ａ＝５０ｍｍ、Ｂ＝１５ｍｍである。シミュレーションデータは、図２からわかるように、ｆ１＝２．５ＧＨｚ（λ１＝１２０ｍｍ）であり、ｆ２＝７．７ＧＨｚ（λ２＝３９ｍｍ）である。計算結果は、Ａ／λ１＝５０／１２０＝０．４２、Ａ／λ２＝５０／３９＝１．２８、Ｂ／λ２＝１５／３９＝０．３８である。サンプル２〜９については同様であり、詳細説明を省略する。
【００１６】
ここで、Ａ／λ１は、全サンプルについて、０．４２〜０．５５の範囲にあって、ばらつきが小さく、寸法Ａは、第１共振周波数の波長λ１の略半分（半波長）、または略０．４〜０．６倍ということが言える。Ｂ／λ２は、点線で囲んだ範囲、すなわちｆ１〜ｆ２間全領域にわたる広帯域が得られる範囲では、０．３０〜０．３８とばらつきが小さく、Ｂとλ２とは相関があると言える。従って、Ｂの長さが決まると、λ２の概略がわかる。
【００１７】
従って、所望の第１共振周波数ｆ１に対応させてアンテナの寸法Ａを決めることができる。また、寸法Ｂが決まると、第２共振周波数ｆ２が概略わかる。
【００１８】
図５、図６は、アンテナの放射パターンを説明する図である。図５（ａ）は、アンテナ１００の斜視図であり、Ｘ軸、Ｙ軸、Ｚ軸を示す。図５（ｂ）は、Ｘ−Ｙ面の垂直偏波の放射パターン図であり、周波数３ＧＨｚの場合である。図５（ｃ）は、Ｘ−Ｙ面の垂直偏波の放射パターン図であり、周波数５ＧＨｚの場合である。図５（ｄ）は、Ｘ−Ｙ面の垂直偏波の放射パターン図であり、周波数８ＧＨｚの場合である。  
いずれの周波数においても、放射パターンが均一であり、特定の角度でヌル状態が発生することはない。つまり、広帯域において、均一な放射パターンが得られることがわかる。
【００１９】
本発明の実施例１によれば、所望の第１共振周波数ｆ１に対応させてアンテナの寸法Ａを決めることができる。また、所望の第２共振周波数ｆ２に対応させてアンテナの寸法Ｂを決めることができる。そして、ギャップ寸法Ｇおよび短辺寸法Ｂを所定の値に設定にすることにより、ｆ１〜ｆ２間全領域にわたる広帯域を得ることができる。また、広帯域において、均一な放射パターンを得ることができる。また、インピーダンスが５０Ω近辺の低い値となり、マッチング回路をなくすことができる。
【実施例２】
【００２０】
図７、図８は、本発明の実施例２に係るダイポールタイプの平面アンテナを説明する図である。  
図７は、実施例２のダイポールタイプの平面アンテナの構成を説明する図である。アンテナ２００は、実施例１のアンテナ１００の両側辺と短辺の外角を９０度にした、つまり、長方形平面の放射素子としたものであり、長方形平面状の第１放射素子４、長方形平面状の第２放射素子４、給電点６から構成される。第１放射素子４は、給電点６側の辺４１と給電点６と反対側の辺４２、両側辺４３の長方形状の平面である。辺４１の寸法をＢ、辺４１と両側辺４３を合わせた寸法をＡとする。第２放射素子５は、第１放射素子４と同じ形状であり、給電点６側の辺５１と給電点６と反対側の辺５２、両側辺５３の長方形状の平面である。辺５１の寸法をＢ、辺５１と両側辺５３を合わせた寸法をＡとする。  
第１放射素子４と第２放射素子５は短辺同士がギャップ寸法Ｇだけ離れて平行に対向する。給電点６は、辺４１の中央部分と辺５１の中央部分に接続されて給電する。
【００２１】
図８は、ＶＳＷＲのシミュレーションを説明する図であり、図８（ａ）は、ＶＳＷＲのシミュレーション図、図８（ｂ）は、そのシミュレーション結果をまとめた表である。  
長方形のアンテナ２００の寸法Ａ＝５０ｍｍ、上辺寸法Ｂ＝１５ｍｍ、ギャップ寸法Ｇ＝１ｍｍの場合についてシミュレーションしたものをサンプルＮｏ．１０として記載する。これと合わせて、実施例１の台形のアンテナ１００の寸法Ａ＝５０ｍｍ、短辺寸法Ｂ＝１５ｍｍ、ギャップ寸法Ｇ＝１ｍｍの場合についてシミュレーションしたサンプルＮｏ．４を記載する。
【００２２】
図８（ａ）のサンプルＮｏ．１０（長方形）に示すように、低域側の第１共振周波数ｆ１＝３．７ＧＨｚ（λ１＝８１ｍｍ）、高域側の第２共振周波数ｆ２＝７．５ＧＨｚ（λ２＝４０ｍｍ）が発生する。ｆ１〜ｆ２間全領域にわたってＶＳＷＲ＝３以下で広帯域であり、○印を付す。また、サンプルＮｏ．４（台形）に示すように、低域側の第１共振周波数ｆ１＝３．３ＧＨｚ（λ１＝９１ｍｍ）、高域側の第２共振周波数ｆ２＝７．６ＧＨｚ（λ２＝３９ｍｍ）が発生する。ｆ１〜ｆ２間全領域にわたってＶＳＷＲ＝３以下で広帯域であり、○印を付す。  
サンプルＮｏ．１０（長方形）とサンプルＮｏ．４（台形）は、略同じシミュレーション結果となる。
【００２３】
図８（ｂ）は、図８（ａ）のシミュレーション結果を表にまとめたものであり、ギャップ寸法Ｇおよび上辺寸法Ｂ（または、短辺寸法Ｂ）と、ｆ１〜ｆ２間領域の広帯域との関係を表す。また、アンテナ寸法と共振周波数との関係を表す。  
Ｇ／Ｂ＝０．０７（サンプル１０）は、０．０７（サンプル４）と同じであり、実施例１の、ギャップ寸法Ｇを短辺寸法Ｂ（上辺寸法Ｂ）の略０．１倍以下にすることによりｆ１〜ｆ２間全領域にわたる広帯域を得る条件の中に入っている。また、Ｂ／λ１＝０．１６（サンプル１０）は、０．１６（サンプル４）と同じであり、実施例１の、短辺寸法Ｂ（上辺寸法Ｂ）を第１共振周波数の波長λ１の略０．１倍以上にすることによりｆ１〜ｆ２間全領域にわたる広帯域を得る条件の中に入っている。また、Ａ／λ１＝０．６２（サンプル１０）は、０．５５（サンプル４）と略同じであり、実施例１の、寸法Ａは第１共振周波数の波長λ１の略半分（半波長）、または略０．４〜０．６倍の条件に合っている。また、Ｂ／λ２＝０．３８（サンプル１０）は、０．３８（サンプル４）と同じであり、実施例１の、寸法Bは第２共振周波数の波長λ２の０．３０〜０．３８倍の条件の中に入っている。
【００２４】
本発明の実施例２の長方形状の平面アンテナによれば、所望の第１共振周波数ｆ１に対応させてアンテナの寸法Ａを決めることができる。また、所望の第２共振周波数ｆ２に対応させてアンテナの寸法Ｂを決めることができる。そして、ギャップ寸法Ｇおよび上辺寸法Ｂを所定の値に設定することにより、ｆ１〜ｆ２間全領域にわたる広帯域を得ることができる。
【実施例３】
【００２５】
図９、図１０は、本発明の実施例３に係るモノポールタイプの平面アンテナを説明する図である。  
図９は、実施例３のモノポールタイプの平面アンテナの構成を説明する図である。アンテナ３００は、台形平面状の第１放射素子１、給電点３、平面グランド７から構成される。第１放射素子１は、実施例１のダイポールアンテナと同様、台形の平行な辺の短辺１１と長辺１２、両側辺１３の台形状の平面である。短辺１１の寸法をＢ、短辺１１と両側辺１３を合わせた寸法をＡとする。平面グランド７は、所定の面積を有する地板である。  
第１放射素子１の短辺１１と平面グランド７の一辺はギャップ寸法Ｇだけ離れて平行に対向する。給電点３は、短辺１１の中央部分と平面グランド４の一辺に接続されて給電する。
【００２６】
図１０は、ＶＳＷＲのシミュレーションを説明する図であり、図１０（ａ）は、ＶＳＷＲのシミュレーション図、図１０（ｂ）は、そのシミュレーション結果をまとめた表である。  
アンテナ３００の寸法Ａ＝５０ｍｍ、短辺寸法Ｂ＝１５ｍｍ、ギャップ寸法Ｇ＝０．５ｍｍの場合についてシミュレーションしたものである（サンプルＮｏ．１１）。  
図１０（ａ）に示すように、低域側の第１共振周波数ｆ１＝３．３ＧＨｚ（λ１＝９１ｍｍ）、高域側の第２共振周波数ｆ２＝７．６ＧＨｚ（λ２＝３９ｍｍ）が発生する。ｆ１〜ｆ２間全領域にわたってＶＳＷＲ＝３以下で広帯域であり、○印を付す。
【００２７】
図１０（ｂ）は、図１０（ａ）のシミュレーション結果を表にまとめたものであり、ギャップ寸法Ｇおよび短辺寸法Ｂと、ｆ１〜ｆ２間領域の広帯域との関係を表す。また、アンテナ寸法と共振周波数との関係を表す。Ｇ／Ｂ＝０．０３、Ｂ／λ１＝０．１３、Ａ／λ１＝０．５５、Ａ／λ２＝１．２８、Ｂ／λ２＝０．３８である。  
これは、実施例１の、ギャップ寸法Ｇを短辺寸法Ｂの略０．１倍以下にすることによりｆ１〜ｆ２間全領域にわたる広帯域を得る条件の中に入っている。また、実施例１の、短辺寸法Ｂを第１共振周波数の波長λ１の略０．１倍以上にすることによりｆ１〜ｆ２間全領域にわたる広帯域を得る条件の中に入っている。また、実施例１の、寸法Ａは第１共振周波数の波長λ１の略半分（半波長）、または略０．４〜０．６倍の条件の中に入っている。また、実施例１の、寸法Bは第２共振周波数の波長λ２の０．３０〜０．３８倍の条件の中に入っている。
【００２８】
なお、第１放射素子１は、台形平面状に限らず、長方形平面状としても同等の効果を得ることができる。
【００２９】
本発明の実施例３のモノポールタイプのアンテナによれば、所望の第１共振周波数ｆ１に対応させてアンテナの寸法Ａを決めることができる。また、所望の第２共振周波数ｆ２に対応させてアンテナの寸法Ｂを決めることができる。そして、ギャップ寸法Ｇおよび短辺寸法Ｂを所定の値に設定することにより、ｆ１〜ｆ２間全領域にわたる広帯域を得ることができる。
【図面の簡単な説明】
【００３０】
【図１】本発明の実施例１に係るダイポールタイプの平面アンテナ（台形）の構成図。
【図２】本発明の実施例１に係るＶＳＷＲのシミュレーション図。
【図３】本発明の実施例１に係るシミュレーション表（ギャップ寸法および短辺寸法と、広帯域との関係）。
【図４】本発明の実施例１に係るシミュレーション表（アンテナ寸法と共振周波数との関係）。
【図５】本発明の実施例１に係るアンテナの放射パターンを説明する図（１／２）。
【図６】本発明の実施例１に係るアンテナの放射パターンを説明する図（２／２）。
【図７】本発明の実施例２に係るダイポールタイプの平面アンテナ（長方形）の構成図。
【図８】本発明の実施例２に係るＶＳＷＲのシミュレーションを説明する図。
【図９】本発明の実施例３に係るモノポールタイプの平面アンテナの構成図。
【図１０】本発明の実施例３に係るＶＳＷＲのシミュレーションを説明する図。
【符号の説明】
【００３１】
１  第１放射素子
２  第２放射素子
３  給電点
４  第１放射素子
５  第２放射素子
６  給電点
７  平面グランド
１１  短辺
１２  長辺
１３  側辺
２１  短辺
２２  長辺
２３  側辺
４１、４２  辺
４３  側辺
５１、５２  辺
５３  側辺
１００、２００、３００  アンテナ
【図１】
2006033069.tif 000003
【図２】
2006033069.tif 000004
【図３】
2006033069.tif 000005
【図４】
2006033069.tif 000006
【図５】
2006033069.tif 000007
【図６】
2006033069.tif 000008
【図７】
2006033069.tif 000009
【図８】
2006033069.tif 000010
【図９】
2006033069.tif 000011
【図１０】
2006033069.tif 000012